(57)【特許請求の範囲】
【請求項１】
茶樹畝の頂部から裾部に渡って延びるガイドフレームの前縁に沿って配置されたバリカン式刈刃体と、上記ガイドフレームの後縁部に連接されて上記バリカン式刈刃体により上記ガイドフレーム上に刈り上げられた茶樹の枝葉屑を後方に案内する枝葉屑案内板と、上記ガイドフレームの一端部に配置されて上記ガイドフレーム及び上記枝葉屑案内板上の上記枝葉屑を上記茶樹畝の上記頂部側から上記裾部側の畝間に向けて吹き飛ばす送風機と、この送風機の駆動用エンジンとを少なくとも備えた茶樹刈ならし機において、
上記送風機は、作業者により把持されるハンドルの一対の支持部材と外周面において一体的に固定される構成とされ、その固定部には、上記送風機の外方に突出して延出されて上記一対の支持部材の上面に対向する支持ブラケットと上記一対の支持部材のそれぞれの延長方向端面に対向する取り付けブラケットとが備えられ、上記支持ブラケットと上記支持部材との間に第１の防振部材が配置され、上記取り付けブラケットと上記一対の支持部材の延長方向端面とは、その間に第２の防振部材が配置されて一体化されていることを特徴とする茶樹刈ならし機。
【請求項２】
請求項１記載の茶樹刈ならし機において、
上記一対の支持部材の下部周面間に渡され、上記一対の支持部材及び上記第１の防振部材を上記支持ブラケットとともに挟持する補強ブラケットが配置されていることを特徴とする茶樹刈ならし機。
【発明の詳細な説明】
【０００１】
【産業上の利用分野】
本発明は、茶樹畝の上面の枝葉を刈り上げて所定形状に刈ならす茶樹刈ならし機に関し、詳しくは、可搬型の刈ならし機における防振機構に関する。
【０００２】
【従来の技術】
茶樹畝の上面は、一般に円弧状に整形されているが、枝葉が伸びて不揃いとなるので、年に３〜４回程度は、伸びた枝葉を刈り取って所定形状に刈ならす必要がある。そしてこの刈ならし作業には、従来から茶樹刈ならし機が使用されており、特に、左右両側に操作ハンドルを備えた二人作業用の小型軽量な可搬型のものが普及している。
【０００３】
ここで、従来一般に知られている二人作業用の可搬型の茶樹刈ならし機は、茶樹畝の頂部から裾部に渡って延びるガイドフレームの前縁に沿ってバリカン式刈刃体が配置された基本構造のもので、ガイドフレームの後縁部には、バリカン式刈刃体により刈り上げた茶樹の枝葉屑を後方に案内すると共に、既に刈ならし作業の済んだ後方の茶樹畝の上面に跨って機体を安定させる枝葉屑案内板が連設されている。また、ガイドフレーム及び枝葉屑案内板上に刈り上げられた枝葉屑を茶樹畝の頂部側から裾側の畝間に向けて吹き飛ばすための送風機がガイドフレームの一端部に設置されている。なお、ガイドフレームの一端部には、上記バリカン式刈刃体を相互に逆方向に往復駆動するクランク式駆動機構を内蔵したケーシングや、このクランク式駆動機構及び送風機のファンを回転駆動するための小型の空冷エンジンが集合配置されている。
【０００４】
【発明が解決しようとする課題】
ところで、上記の構成を備えた刈ならし機においては、搭載されているエンジンや刈刃からの振動がフレームを介して刈ならし機を把持している作業者に伝わりやすい。このため、刈ならし機のハンドルあるいはフレームを把持している作業者は、その振動によりバリカン刃を茶樹の適切な位置に位置決めする際にその位置決めが不安定となりやすい。しかも、茶樹の刈りならしを行う間その振動を受けるために不快感があることは否めない。特に、エンジンからの振動は、送風機の重力方向である上下方向だけでなく回転によって生じる上下方向と垂直な方向があるため、フレームあるいはハンドルを把持している作業者はそれら振動を受けながらの作業であるために、茶樹刈ならし機を持ち支えることに非常な労力を必要とする。
【０００５】
本発明の目的は、上記従来の茶樹刈ならし機における問題に鑑み、エンジンからの振動が作業者に伝わるのを防止して刈ならしの際のバリカン刃の位置決めを容易にかつ正確に行えるとともに作業者への負担を軽減できる構成を備えた茶樹刈ならし機を提供することにある。
【０００６】
【課題を解決するための手段】
この目的を達成するため、請求項１記載の発明は、茶樹畝の頂部から裾部に渡って延びるガイドフレームの前縁に沿って配置されたバリカン式刈刃体と、上記ガイドフレームの後縁部に連接されて上記バリカン式刈刃体により上記ガイドフレーム上に刈り上げられた茶樹の枝葉屑を後方に案内する枝葉屑案内板と、上記ガイドフレームの一端部に配置されて上記ガイドフレーム及び上記枝葉屑案内板上の上記枝葉屑を上記茶樹畝の上記頂部側から上記裾部側の畝間に向けて吹き飛ばす送風機と、この送風機の駆動用エンジンとを少なくとも備えた茶樹刈ならし機において、上記送風機は、作業者により把持されるハンドルの一対の支持部材と外周面において一体的に固定される構成とされ、その固定部には、上記送風機の外方に突出して延出されて上記一対の支持部材の上面に対向する支持ブラケットと上記一対の支持部材のそれぞれの延長方向端面に対向する取り付けブラケットとが備えられ、上記支持ブラケットと上記支持部材との間に第１の防振部材が配置され、上記取り付けブラケットと上記一対の支持部材の延長方向端面とは、その間に第２の防振部材が配置されて一体化されていることを特徴としている。
【０００７】
請求項２記載の発明は、請求項１記載の茶樹刈ならし機において、上記一対の支持部材の下部周面間に渡され、上記一対の支持部材及び上記第１の防振部材を上記支持ブラケットとともに挟持する補強ブラケットが配置されていることを特徴としている。
【０００８】
【作用】
請求項１記載の発明では、送風機を駆動するエンジンや刈刃からの振動は、送風機の外方に突出して延出されて上記一対の支持部材の上面に対向する支持ブラケットと上記一対の支持部材のそれぞれの延長方向端面に対向する取り付けブラケットとが備えられ、上記支持ブラケットと上記一対の支持部材との間に第１の防振部材を配置するとともに、上記取り付けブラケットと上記一対の支持部材の延長方向端面との間に第２の防振部材を配置することで、支持ブラケットの位置では送風機からの上下方向の振動が抑制でき、取り付けブラケットの位置ではエンジンの回転や刈刃の往復動作による上記上下方向と直角な方向に相当するハンドルの延長方向に沿った振動の伝達がそれぞれ抑制される。
また、請求項２記載の発明では、さらに、上記一対の支持部材の下部周面間に渡され、上記一対の支持部材及び上記第１の防振部材を上記支持ブラケットとともに挟持する補強ブラケットを配置することで、上記一対の支持部材を含む剛体化を可能にして上記一対の支持部材同士で捻れたり撓むことが防止される。
【０００９】
【実施例】
以下、本発明の一実施例を添付の図面を参照して具体的に説明する。
図１は、小型で軽量な可搬型の二人作業用の茶樹刈ならし機１の全体構造を示し、図中、符号２は茶樹畝の上面の頂上部から片側の裾部に沿うよう上方に円弧状に湾曲して茶樹畝の幅方向に延びるガイドフレーム、符号３はこのガイドフレーム２の頂上側端部２ａ及び裾側端部２ｂを連結支持している支持フレームを示し、この支持フレーム３はガイドフレーム２の上方に略弓形をなして配置されている。
【００１０】
前記ガイドフレーム２の下面には、その前縁に沿って相互に逆方向に往復駆動される上刃４ａと下刃４ｂからなるバリカン式刈刃体４が往復摺動自在に連結して重合配置され、またガイドフレーム２の後縁部には、バリカン式刈刃体４によりガイドフレーム２上に刈り上げられた枝葉屑を後方に案内する枝葉屑案内板５が連接されている。この枝葉屑案内板５は、ガイドフレーム２と同様に上方に円弧状に湾曲しており、既に刈りならし作業の済んだ後方の茶樹畝の上面に跨ることで機体を安定させるようになっている。
【００１１】
また、ガイドフレーム２の頂上側端部２ａには、バリカン式刈刃体４の上刃４ａと下刃４ｂとを相互に逆方向に往復駆動するクランク式駆動機構を内蔵したクランクケーシング（図示省略）が連設されている。そしてこのクランクケーシングの上方には、内蔵するファンの回転に伴い送風ノズル６ａから圧力風をガイドフレーム２上の頂上側端部２ａから裾側端部２ｂに向けて吹き出す送風機６と、この送風機６内のファンおよびクランクケーシング内のクランク式駆動機構を回転駆動する空冷エンジン７とが上下に重ねて連設されている。
【００１２】
前記送風機６には、前後一対の支持部材８ａ，８ｂが上側方に向け突設され、その先端部には接続金具９，９を介して頂部側操作ハンドル１０が上下方向に揺動角度を調節できるように接続されている。また支持フレーム３には、接続金具１１を介して裾側操作ハンドル１２が上下方向に揺動角度を調節できるように接続されている。
【００１３】
茶樹刈ならし機１には枝葉屑飛散防止装置１３が装備される。この枝葉屑飛散防止装置１３は、バリカン式刈刃体４により後方のガイドフレーム２及び枝葉屑案内板５上に刈り上げられた枝葉屑を送風機６の送風ノズル６ａからの圧力風で茶樹畝の裾側の畝間に吹き落とす際に、既に刈りならし作業の済んだ後方の茶樹畝や隣の茶樹畝の上面に枝葉屑が飛散するのを防止するためのもので、メインカバー１４と延長カバー１５とを備えている。
【００１４】
前記メインカバー１４は、略直角に屈曲する断面形状をなして枝葉屑案内板５の後縁部と支持フレーム３との間に架設される所定幅の透明な合成樹脂板からなるもので、枝葉屑案内板５の後縁部から上方に立ち上がる後壁部１４ａと、この後壁部１４ａに連続して前方に屈曲する上壁部１４ｂと、この上壁部１４ｂに連続して茶樹畝の裾側の側方に向け斜めに下降傾斜する傾斜側壁部１４ｃとを有する。なお、図１中、符号１５は、延長カバーを示しており、この延長カバー１５は側方斜め上方への枝葉の飛散を防止するために設けられている。
【００１５】
前記送風機６は、前後一対の支持部材８ａ、８ｂに対して図２に示す構成により支持されている。
図２は、送風機６の下面を示す斜視図であり、同図において、送風機６の外周面には、外方に突出して延出された送風機支持用ブラケットをなす支持ブラケット６ｂおよび取付ブラケット６ｃが形成されており、これらブラケットのうち、支持ブラケット６ｂは、頂部側操作ハンドル１０（図１参照）に連結されている支持部材８ａ、８ｂの上部周面に対向し、取付ブラケット６ｃは支持部材８ａ、８ｂの延長方向端面に対向して配置されている。支持ブラケット６ｂおよび取付ブラケット６ｃは、送風機６を支持部材８ａ、８ｂに対して一体的に固定する固定部をなしている。
【００１６】
支持ブラケット６ｂと支持部材（便宜上、図１において符号８ｂで示した側を説明するが、符号８ａで示した側も同様な構成とされている）８ｂとの間には隙間が設けられ、その隙間内には防振ゴムなどからなる防振部材１６が支持部材８ｂの延長方向に沿って一対で配置されている。
取付ブラケット６ｃと支持部材８ｂの端部との間においても防振部材１７が支持部材８ｂの内部に一部が装填されて配置されている。
【００１７】
支持ブラケット６ｂによって一端が取り付けられている防振部材１６は、その他端が支持部材８ｂの上部周面に載置されており、支持部材８ｂの下部周面に配置されている補強ブラケット１８に挿通されたボルト１９を締結することにより、支持部材８ｂをはさんで支持ブラケット６ｂと補強ブラケット１８とで挟持されて固定されている。
補強ブラケット１８は、両方の支持部材８ａ、８ｂ間に渡されてエンジンからの振動を直接受けない位置に配置されている部材で構成され、支持部材８ａ、８ｂを送風機６の支持ブラケット６ｂとにより挟持することで支持部材８ａ、８ｂを含む剛体化を可能にして支持部材８ａ、８ｂ同士で捻れたり撓むのを防止するようになっている。
【００１８】
本実施例は以上のような構成であるから、送風機６に対して支持部材８ａ、８ｂが組み込まれる際には、支持ブラケット６ｂの下面に防振部材１６を配置して支持部材８ｂの上部周面を当接させ、補強ブラケット１８を支持部材８ｂの下部周面に位置決めしてボルト１９を用いて締結することで支持ブラケット６ｂと支持部材８ｂとが一体的に固定される。
一方、支持部材８ｂの延長方向端部は、防振部材１７が装填された上で取り付けブラケット６ｃに対しボルト２０により締結されて送風機６側と一体的に固定される。
【００１９】
刈ならし機１を操作する際には、送風機６の駆動用エンジン７からの振動が支持ブラケット６ｂおよび取り付けブラケット６ｃに伝わるが、支持部材８ａ、８ｂとの間に防振部材１６、１７が配置してされていることにより振動が緩衝されて振動伝達が抑制される。
しかも、エンジン７の振動形態は支持部材８ａ、８ｂに向けた上下方向だけでなくピストンの往復動方向に相当する上下方向と直角な方向にも発生する。
本実施例では、上下方向の振動を防振部材１６によって、そして上下方向と直角な方向の振動を防振部材１７によってそれぞれ抑制することができるので、支持部材８ａ、８ｂを介して設けられている頂部側操作ハンドル１０への振動伝達が防止されることになる。
本実施例によれば、支持部材８ｂをはさんで支持ブラケット６ｂと対向する位置に支持部材８ａ、８ｂ同士を連結する補強ブラケット１８を設けているので、支持ブラケット６ｂと協働して支持部材８ａ、８ｂを賢固に送風機６側と一体化して支持部材８ａ、８ｂ間でのねじれやたわみを防止することができる。しかも、支持部材８ａに伝わった送風機６側からの振動を補強ブラケット１８を介して支持部材８ｂ側の防振部材によって抑制することも可能であるので、振動の抑制効率を向上させることが可能になる。
【００２０】
【発明の効果】
以上のような実施例からも明らかなように、請求項１記載の発明によれば、送風機を駆動するエンジンや刈刃からの振動は、送風機の外方に突出して延出されて上記一対の支持部材の上面に対向する支持ブラケットと上記一対の支持部材のそれぞれの延長方向端面に対向する取り付けブラケットとが備えられ、上記支持ブラケットと上記一対の支持部材との間に第１の防振部材を配置するとともに、上記取り付けブラケットと上記一対の支持部材の延長方向端面との間に第２の防振部材を配置することで、支持ブラケットの位置では送風機からの上下方向の振動が抑制でき、取り付けブラケットの位置ではエンジンの回転や刈刃の往復動作による上記上下方向と直角な方向に相当するハンドルの延長方向に沿った振動の伝達がそれぞれ抑制できる。
また、請求項２記載の発明によれば、さらに、上記一対の支持部材の下部周面間に渡され、上記一対の支持部材及び上記第１の防振部材を上記支持ブラケットとともに挟持する補強ブラケットを配置することで、上記一対の支持部材を含む剛体化を可能にして上記一対の支持部材同士で捻れたり撓むことが防止できる。しかも、一方の支持部材に伝わった送風機側からの振動を補強ブラケットを介して他方の支持部材側の防振部材によって抑制することも可能であるので、振動の抑制効率を向上させることが可能になる。
これにより、バリカン刃を茶樹の適切な位置に位置決めする際にその位置決めが不安定となることや、茶樹の刈りならしを行う間中、振動に持ちこたえるだけの労力を必要とするのを軽減させて作業負担を軽減させることが可能になる。
【図面の簡単な説明】
【図１】本発明実施例による茶樹刈ならし機の全体構造を説明するための斜視図である。
【図２】図１に示した茶樹刈ならし機における防振構造の要部を説明するための部分的な斜視図である。
【符号の説明】
１  茶樹刈ならし機
２  ガイドフレーム
２ａ  頂上側端部
２ｂ  裾側端部
３  支持フレーム
４  バリカン式刈刃体
４ａ  上刃
４ｂ  下刃
５  枝葉屑案内板
６  送風機
６ａ  送風ノズル
６ｂ  支持ブラケット
６ｃ  取付ブラケット
７  空冷エンジン
８ａ，８ｂ  支持部材
９  接続金具
１０  頂部側操作ハンドル
１１  接続金具
１２  裾側操作ハンドル
１３  枝葉屑飛散防止装置
１４  メインカバー
１４ａ  後壁部
１４ｂ  上壁部
１４ｃ  傾斜側壁部
１４ｄ  ネジ挿通孔
１６  上下方向の振動を防止する防振部材
１７  上下方向と垂直方向の振動を防止する防振部材
１８  補強ブラケット
【図１】
0004215847.tif 000002
【図２】
0004215847.tif 000003